(57)【要約】【課題】  経費を抑え、ランプ着脱性や着脱時の安全性を損ねる虞がなくランプ姿勢を垂直状態に矯正可能にする。【解決手段】  ソケット本体１が対の挿通穴２１と、各挿通穴の真下に設けられている凹部３０と、凹部内にそれぞれ配置されて各挿通穴２１から挿入されるランプ１０の口金ピン１１と電気接続される対の接触片５及び該接触片を付勢する付勢部材４とを備え、ランプ１０を手操作により、口金ピン１１を挿入穴２１から付勢部材４の付勢力に抗し押入することで接触片５の対応面に接触させて着脱可能に支持するランプソケットにおいて、ソケット本体１が上面から下設された対の取付穴２３及び該取付穴に対し上からの差し込みにより取り付けられて、ソケット本体の上面に略平行となるよう配置されている対の弾性線部材６を有している。対の弾性線部材６は、対応部をランプ下側封止部１０ａの対向側面に当接して、支持されるランプ１０の姿勢を垂直に矯正する。【選択図】     図２
2005135756.tif 000002
【特許請求の範囲】
【請求項１】
ソケット本体が口金ピン用の対の挿通穴と、該各挿通穴の真下に設けられている凹部と、前記凹部内にそれぞれ配置されて前記各挿通穴から挿入されるランプの口金ピンと電気接続される対の接触片及び該接触片を付勢する付勢部材とを備え、前記ランプを手操作により、前記口金ピンを前記挿入穴から前記付勢部材の付勢力に抗し押入することで前記接触片の対応面に接触させて着脱可能に支持するランプソケットにおいて、
前記ソケット本体が上面から下向きに設けられた対のスリット状取付穴及び該各取付穴に対し上からの差し込みによりそれぞれ取り付けられて、前記ソケット本体の上面に略平行となるよう配置されている対の弾性線部材を有し、
前記対の弾性線部材の対応部を前記口金ピンを突出しているランプ下側封止部の対向側面に当接して、前記口金ピンを前記接触片に当接した状態で支持されるランプの姿勢を垂直に矯正可能にすることを特徴としたランプソケット。
【請求項２】
前記ソケット本体は陶磁器製で分割形成された上下半体からなり、前記上半体が前記取付穴として上スリット幅を下スリット幅より小さく形成していると共に、前記弾性線部材は基端が前記取付穴の対応内面に係止される略フック状の係止部に形成されている請求項１に記載のランプソケット。
【請求項３】
前記弾性線部材が巻線部を有し、該巻線部を前記ランプ下側封止部に当接する請求項１又は２に記載のランプソケット。
【発明の詳細な説明】
【技術分野】
【０００１】
本発明は、ランプソケットのうち、特にピン状の口金（ランプピン等と称されることもある。本明細書ではこれを「口金ピン」と称する）を有したランプに好適なランプソケットに関するものである。
【背景技術】
【０００２】
高出力用のランプソケットは、通常、本発明を適用した図１等に例示されるように、ソケット本体１が陶磁器製の上下半体２，３から構成されている。上半体２は、ランプ１０の口金ピン１１（ピン径は０．７〜３．２ミリ程度）を突出している下側封止部１０ａを収容する凹所２０と、凹所２０の底面を貫通した対の挿通穴２１とを形成している。挿通穴２１の穴径は口金ピン１１のピン径より大きく余裕を持って挿通可能にする。下半体３は、挿通穴２１の真下に対の凹部３０を区画形成し、該各凹部３０に接触片５及び付勢部材４をそれぞれ配置している。接触片５は導電性板であり、リード線１２の一端１２ａが接続される。付勢部材４は、接触片５を押圧して口金ピン１１との接触状態を維持したり、ランプ１０を所定の支持力で保持可能にする。ここで、接触片としては口金ピンに対し一箇所で当接する１点接点であるが、二箇所で当接する２点接点などもある。２点接点では、例えば、接触片が略Ｖ形状をなし、各対向片の間に口金ピンを挟持する。この場合、付勢部材は、ソケット本体側の凹部に配置された接触片の各対向片を外側より付勢したり、前記両対向片を巻回コイル部の間に圧入配置することで付勢する（実用新案登録第２６０３２００号参照）。
【０００３】
ランプ支持構造は、前記した１点接点や２点接点でも同じである。つまり、ランプ１０は、手操作により口金ピン１１を挿入穴２１より接触片５と凹部３０の対応面との間、或いは接触片の対向片同士の間に付勢部材の付勢力に抗して押入することで保持され、交換時等において付勢部材４の付勢力に抗し引き抜かれる。そして、従来のランプソケットでは、ランプ１０が中心線から少し傾いた状態で保持されることも生じるが、例えば中心線から２〜５度程度傾いていても口金ピンと接触片との接触を介して正常に点灯する。しかし、照明的には、ランプ１０が中心線から傾いて保持されると、ランプ焦点がずれるため好ましくなくない。このような問題は、ランプ１０の光がフード側の略椀状反射板を介し照射される態様やランプ出力が大きくなるほど顕著となる。なお、ランプ１０は、付勢されている接触片に口金ピンを介し支持されるため接触片に沿って或いは付勢方向と略交差する方向へ傾き易い。
【０００４】
以上の対策としては、特許文献１に示されるような押さえ片を付設することが考えられる。図７はその文献１に開示のランプソケットである。このソケット本体５０は、上下半体５１，５２からなり、上下半体５１，５２が上から下向きに挿通されて下半体底面側の取付板５５に係止される不図示のねじ部材により連結されている。上下半体５１，５２の両側壁には、上半体５１の上方へ突出する部分がくの字状に形成された押さえ片６０が配置されている。押さえ片６０は、板ばねであり、下端部が取付板５５側に連接された状態で起立されて、上半体５１の上方へ突出したくの字状部分でランプ１０の下側封止部を補強支持する。なお、取付板５５は、両側へ張り出している取付突部５５ａを有し、被取付箇所に対しランプソケット自体を固定する。符号５６と５７は、下半体５２の各凹部５２に配置された概略Ｕ形の接触片（接点体）と該接触片の外側に嵌合される補助ばね体である。
【０００５】
【特許文献１】特開２００３−８６３１２号公報
【発明の開示】
【発明が解決しようとする課題】
【０００６】
上記押さえ片６０は、ランプの種類によって（ランプが例えばＧ１２等の場合）必要なものとしてＩＥＣ規格（世界標準規格）で決められているもので、両側からランプ１０を挟み込んだ状態で下方へ押圧することによりランプ１０の支持力を補強するものである。そして、上述したランプの傾きの問題は、このような押さえ片を用いれば、傾いたランプ姿勢をそれなりに矯正可能である。しかしながら、以上のような押さえ片を追加する場合は次のようなことが問題となる。まず、商品性からは、押さえ片が金属製板材でプレス成形にて形状出し及び面取り処理されるためコスト高となり、ＩＥＣ規格で要求されていないタイプまで用いることは経費増の点から避けたい。従来の押さえ片は、ランプを所定の押圧力で補強支持する上では最適であるが、上述したランプ姿勢を微調整する上で用いると、ランプ組立性が悪くなることに加え、ランプの着脱性や安全性を損ねる要因となる。そこで、本発明の目的は、従来の押さえ片に比べて、経費を大幅に抑え、ワンタッチで取り付けることができ、しかもランプ着脱性や着脱時の安全性を損ねる虞がなくランプの姿勢を確実に矯正可能にすることにある。
【課題を解決するための手段】
【０００７】
以上の目的を達成するため本発明は、ソケット本体が口金ピン用の対の挿通穴と、該各挿通穴の真下に設けられている凹部と、前記凹部内にそれぞれ配置されて前記各挿通穴から挿入されるランプの口金ピンと電気接続される対の接触片及び該接触片を付勢する付勢部材とを備え、前記ランプを手操作により、前記口金ピンを前記挿入穴から前記付勢部材の付勢力に抗し押入することで前記接触片の対応面に接触させて着脱可能に支持するランプソケットにおいて、前記ソケット本体が上面から下向きに設けられた対のスリット状取付穴及び該各取付穴に対し上からの差し込みによりそれぞれ取り付けられて、前記ソケット本体の上面に略平行となるよう配置されている対の弾性線部材を有し、前記対の弾性線部材の対応部を前記口金ピンを突出しているランプ下側封止部の対向側面に当接して、前記口金ピンを前記接触片に当接した状態で支持されるランプの姿勢を垂直に矯正可能にすることを特徴としている。
【０００８】
以上のソケット構造では、ランプが従来と同様な手操作により口金ピンを前記挿入穴から付勢部材の付勢力に抗し押入することで接触片の対応面に接触させてソケット本体に対し支持される。このランプ装着過程では、口金ピンを挿入穴に若干斜めに挿入して付勢されている接触片の対応面と接触しランプが中心線より（接触片に沿った左又は右側へ）数度傾いた状態となることも起きる。そのようなときは、各弾性線部材がランプ下側封止部を対向する側から押してランプ姿勢を垂直となるよう矯正する。このため、ランプは、ランプ装着操作に係わらず常に設計通り垂直に支持されることになる。
【０００９】
以上の本発明は次のように具体化されることがより好ましい。
・前記ソケット本体は陶磁器製で分割形成された上下半体からなり、前記上半体が前記取付穴として上スリット幅を下スリット幅より小さく形成していると共に、前記弾性線部材は基端が前記取付穴の対応内面に係止される略フック状の係止部に形成されている構成である（請求項２）。この場合には、弾性線部材がフック状に形成された係止部を上半体側取付穴内の傾斜端面又は段差端面に掛け止めされた状態で簡単かつ確実に取り付けられる。取付状態では、弾性線部材の基端側が上半体内にあるため目視不能となる。
・前記弾性線部材が巻線部を有し、該巻線部を前記ランプ下側封止部に当接する構成である（請求項３）。この場合は、巻線部をランプ下側封止部に当てることにより、センタリング用の付勢力として弱めに設定したり安定付与できる。巻線部は鋭角の部分を持たないため安全性からも好ましい。
【発明の効果】
【００１０】
・請求項１の本発明では、ランプソケットとして、ランプ姿勢を対の弾性線部材により矯正（センタリング）して常に設計通りの垂直度にて保持できる。弾性線部材は、図７の押さえ片に比較して、上へ突出する部分がソケット本体の上面に略平行に配置されているため安全であること、安価に実施できること、ソケット本体の取付穴に差し込み操作により取り付けられるため組立性を良好にできること、ランプを両側より押してセンタリングするだけなので付勢力を小さく抑えてランプの着脱操作性を損なわないこと等で優れている。
・請求項２では、以上のランプソケットにおいて、ソケット本体が上下半体に分割され、上半体側取付穴と弾性線部材側係止部の形状工夫により、弾性線部材の組立性をより良好にできることに加え、弾性線部材の基端側が取付穴内に差し込まれてソケット本体の外周囲や底面側に露出されないため外観や安全性の点でより向上できる。
・請求項３では、更に、弾性線部材が巻線部を介しランプ下側封止部に当接するためランプの傾きを微調整する上で必要とされる小さな押圧力を最適な状態で付与でき、ランプの着脱性に影響を及ぼしたり鋭角部分を無くして信頼性を得られるようにする。
【発明を実施するための最良の形態】
【００１１】
本発明の最良な形態を図面の実施例を参照しながら説明する。以下の説明では、図１〜図５に示した基本例を詳述した後、図６に示した変形例に言及する。なお、対象のランプソケットは２ピン式のランプ１０に使用される。ランプ１０は、メタル・ハライド・ランプ等であり、口金ピン１１をランプ下側封止部１０ａから突出しているタイプである。
【実施例】
【００１２】
（構造）実施例のランプソケットは、ソケット本体１が分割形成された上下半体２，３からなり、口金ピン１１と電気接続される対の接触片５及び付勢部材４と、対のセンタリング用弾性線部材６と、下半体３の底面にマイカ板８ａを介在して配置されている取付板７と、上下半体２，３の間に配置されているマイカ板８ｂと、上下半体２，３を連結している２個のねじ部材９とを備えている。なお、接触片５は、略矩形の小片状をなし、一端側にリード線１２の端末１２ａが接合されている。接触片５の材質は、銅系、黄銅系、Ｎｉ系、ステンレス系等であり、口金ピン１１（Ｎｉ系、黄銅系等）の材質に応じたものが用いられている。マイカ板８ａ，８ｂは絶縁性の板であり、マイカ板８ａは下半体３の下面形状に近似した形状からなり、マイカ板８ｂは概略片状となっている。
【００１３】
上下半体２，３は陶磁器製である。上半体２は、上中央部に設けられている凹所２０と、凹所２０の底面を貫通した対の挿通穴２１と、上下面をそれぞれ貫通した対の連結穴２２及び対の取付穴２３と、下周囲の対向部分を欠如して凹所２０に連通している対の嵌合部２４と、下面の中央部に設けられた窪み部２５と、下面にあって各連結穴２２に接近して設けられた嵌合穴２６とを有している。ここで、凹所２０は、ランプ下側封止部１０ａの下部分が収容可能な大きさであり、封止部１０ａの形状に対応して両側部２０ａが中間部２０ｂより幅広に形成されている。各挿通穴２１は、矩形穴であり、穴上縁をテーパー部に形成しており、口金ピン１１を該テーパー部から余裕を持って挿通する。各連結穴２２は、凹所２０の両側で離れた位置に設けられており、上側がねじ部材９の頭部を収容する径大穴となっている（図４（ｂ）参照）。各取付穴２３は、スリット状の穴であり、凹所２０の両側で略平行に設けられている。上半体２の上面に開口している上スリット幅は、上半体２の下面に開口している下スリット幅より小さく形成されている（図４（ｃ）参照）。各取付穴２３は、弾性線部材６を取り付ける箇所であり、両内端面が下から上に行くほど張り出す傾斜面として形成されているが、下側を上側より落ち込んだ段差端面付きとして形成してもよい。
【００１４】
弾性線部材６は、図２及び図３に示されるように、基端側の係止部６ａと、係止部６ａから上斜めに折り曲げられた傾斜部分６ｂと、傾斜部分６ｂから水平方向に延びている巻線部６ｃとを一体に形成している。係止部６ａは、スリット状の取付穴２３に圧入されるフック状をなし、最下部分より折り曲げられて上に延びている末端が前記した取付穴２３の傾斜面或いは段差端面に係止されるよう設定されている。傾斜部分６ｂは、ソケット本体１（又は上半体２）の上面にあって取付穴２３の片側、つまり上面の周囲へ延びている。巻線部６ｃは、ソケット本体１の上面に対し略平行となるよう、又、上面周囲にあって凹所２０の側部２０ａに沿って配置されている。また、巻線部６ｃは、後述する付勢部材４の付勢方向とほぼ平行になるよう、又、接触片５の左右延長線と略交差する配置となっている。
【００１５】
下半体３は、各連通穴２１の真下に設けられた凹部３０と、各連結穴２２に連通される連結穴３２と、上面周囲に突設されて各嵌合穴２４に係合される突部３４と、上面の中央部に設けられて窪み部２５と係合する小突部３５と、上面にあって各連結穴３２に接近して設けられて嵌合穴２６と対向する嵌合穴３６とを有している。ここで、各凹部３０は、小突部３５と左側突部３４、小突部３５と右側突部３４との間にそれぞれ略矩形穴として設けられている。各凹部３０には、対応突部３４との間に設けられて外周側へ延びているリード線用の案内溝３３に連通されていると共に、内壁のうち案内溝３３の入口側に位置する内壁に設けられて上面より内底面に延びた縦溝３０ａを有している（図５（ｂ）参照）。縦溝３０ａは、上縁をテーパー部に形成した略半筒形となっており、接触片５との間に差し込まれる口金ピン１１を位置決めする。各嵌合穴３６は、上下に貫通した状態に設けられており、マイカ板８ｂが下半体３の下面側より挿入される。
【００１６】
（組立）以上の下半体３には、まず、付勢部材４及び接触片５が各凹部３０に組み込まれる。この場合、接触片５は、リード線１２を案内溝３３から外周側へ引き出した状態で凹部３０内に配置される。付勢部材４は、コイルばねが用いられており、凹部３０内の接触片５を縦溝３０ａ側へ位置した状態で、接触片５と凹部３０の対応内面との間に配置される。なお、以上の凹部３０や接触片５の細部形状、付勢部材４の配置等については適宜に変更可能であり、例えば、特願２００２−１８７４２７号に記載されているタイプであってもよい。
【００１７】
次に、下半体３には、マイカ板８ｂが下面側より各嵌合穴３６にそれぞれ挿入されると共に、下面に対しマイカ板８ａと取付板７とが配置される。なお、取付板７は、連結穴２２，３２に対応するねじ穴７ａと、ランプソケットを被取付箇所に取り付けるためのねじ穴７ｂとを有している（図３（ｂ）参照）。そして、マイカ板８ｂが下半体３の下面に接した状態で嵌合穴３６に差し込まれて、下半体３の上方へ突出配置される。取付板７は、マイカ板８ａを内側に装着した状態で下半体３の下面に位置決め配置される。その後、上半体２が下半体３に重ねられる。その際は、前記マイカ板８ｂの上突出部が嵌合穴２６に差し込まれると共に、嵌合穴２４が突部３４に、窪み部２５が小突部３５にそれぞれ係合されるようにする。そして、上下半体２，３は、ねじ部材９が上側から連結穴２２及び連結穴３２に差し込まれて、取付板７のねじ穴７ａに係止されることにより連結される。そして、以上のランプソケットには、弾性線部材６が上述したように各取付穴２３に上からの差し込み操作によりそれぞれ取り付けられる。取付状態では、各弾性線部材６の巻線部６ｃが凹所２０の側部２０ａに対向した状態に配置されている。勿論、弾性線部材６は、上下半体２，３を連結する前に上半体２に予め取り付けておくことも可能である。
【００１８】
（作動）組み立てられたランプソケットには、ランプ１０が口金ピン１１を凹所２０及び挿入穴２１から縦溝３０ａと接触片５との間の隙間に押入されて、接触片５の対応面に電気接続した状態で付勢部材４の付勢力に応じた力で支持される。このランプ装着操作は人の手操作にて行われる。このため、従来品ではランプ１０が口金ピン１１と挿入穴２１との間に設定される遊び寸法の範囲で傾くこともある。しかし、発明のランプソケットでは、ランプ装着操作過程で口金ピン１１を縦溝３０ａと接触片５との間の隙間に押入して手を離すと、両側にある弾性線部材６の巻線部６ｃがランプ下側封止部１０ａの対応する側面に軽い付勢力で当たってセンタリングし、該センタリング作用によりランプ１０の傾きを矯正する。すなわち、このソケット構造では、ランプ１０が装着操作に影響されることなく、弾性線部材６を介して設計上の垂直度を保って支持できるようにし、これにより照明時にはランプ焦点を設計通りの位置にして照射される。また、このような弾性線部材６は、巻線部６ｃをランプ下側封止部１０ａに軽く当接しているためランプ１０の着脱性を損なうという虞もない。
【００１９】
（変形例）図６の変形例は、上記弾性線部材６を変更した一例であり、それ以外は上記実施例と同じである。このため、この説明では、図１〜図５と同じ部材及び部位に同じ符号を付し変更点だけを詳述する。すなわち、この弾性線部材６Ａは、上記実施例と同様な係止部６ａ及び傾斜部分６ｂと、傾斜部分６ｂから水平方向に延びている外線部６ｄと、外線部６ｄから傾斜部分６ｂ側へ折り曲げられている内線部６ｅとを一体に形成している。係止部６ａは、スリット状の取付穴２３に圧入されるフック状をなし、取付穴２３の傾斜面或いは段差端面に係止される。傾斜部分６ｂは、ソケット本体１の上面にあって取付穴２３の片側、つまり上面の周囲へ延びている。外線部６ｄ及び内線部６ｅは、上記実施例の巻線部６ｃと同様にソケット本体１の上面に対し略平行となるよう、又、上面周囲にあって凹所２０の側部２０ａに沿って配置されている。内線部６ｅは、緩い円弧状をなし、ランプ下側封止部１０ａの対応部に軽く当接ことで、上記巻線部６ｃと同様な態様でランプ１０をセンタリング可能にする。このように、本発明の弾性線部材６，６Ａは、請求項１で特定される要件を満たす範囲で変更可能なものである。
【図面の簡単な説明】
【００２０】
【図１】発明実施例のランプソケットをランプ支持状態で示す断面図である。
【図２】図１のランプソケットと弾性線部材との関係を示す構成図である。
【図３】図１のランプソケットの上下と側面から見た図である。
【図４】図３（ａ）のＡ−Ａ線、Ｂ−Ｂ線、Ｃ−Ｃ線に沿った断面図である。
【図５】図３（ｃ）のＤ−Ｄ線、Ｅ−Ｅ線に沿った断面図である。
【図６】上記弾性線部材の変形例を図３（ａ），（ｃ）に対応して示す図である。
【図７】特許文献１のランプソケットを示す側面図とＦ−Ｆ線断面図である。
【符号の説明】
【００２１】
１…ソケット本体
２…上半体（２０は凹所、２１は挿通穴、２３は取付穴）
３…下半体（３０は凹部）
４…付勢部材
５…接触片
６，６Ａ…弾性線部材（６ａは係止部、６ｃは巻線部）
１０…ランプ（１０ａは下側封止部）
１１…口金ピン
１２…リード線
【図１】
2005135756.tif 000003
【図２】
2005135756.tif 000004
【図３】
2005135756.tif 000005
【図４】
2005135756.tif 000006
【図５】
2005135756.tif 000007
【図６】
2005135756.tif 000008
【図７】
2005135756.tif 000009